(57)【要約】【課題】設備費や運転費を低く抑えつつ、飛灰から放射性物質を効率良く除去できる飛灰洗浄装置および飛灰洗浄方法を提供する。【解決手段】飛灰洗浄装置は、放射性物質が溶解した一次溶解水と飛灰のスラリとを生成する一次洗浄装置１と、一次スラリに含まれる放射性物質が溶解した二次溶解水と一次スラリよりも放射性物質の濃度が低い二次スラリとを生成する二次洗浄装置２と、二次洗浄排水に含まれる放射性物質を吸着剤により吸着除去する吸着装置３と、二次スラリを脱水処理する脱水処理装置４と、一次洗浄排水と脱水処理排水とに含まれる放射性物質を固化処理する固化処理装置５とを備え、二次洗浄装置２は、吸着装置３からの吸着処理排水と固化処理装置５からの固化処理排水とを、外部から供給される補給水とともに二次洗浄水として受ける。【選択図】図１
2015072199.tif 000002
【特許請求の範囲】
【請求項１】
放射性物質により汚染された廃棄物を焼却した際に発生する飛灰を洗浄する飛灰洗浄装置において、
放射線物質を含む上記飛灰を収容し該飛灰の洗浄のための一次洗浄水の注入を受ける一次洗浄槽を有し、該一次洗浄槽内で上記飛灰を一次洗浄水により洗浄して、上記放射性物質が溶解した一次溶解水と飛灰のスラリとを生成して、該一次溶解水を一次洗浄排水として排水するとともに、上記スラリを一次スラリとして排出する一次洗浄装置と、
上記一次洗浄装置からの上記一次スラリを受けて収容し該一次スラリの洗浄のための二次洗浄水の注入を受ける二次洗浄槽を有し、該二次洗浄槽内で上記一次スラリを二次洗浄水により洗浄して、該一次スラリに含まれる放射性物質が溶解した二次溶解水と、上記一次スラリよりも放射性物質の濃度が低い二次スラリとを生成して、該二次溶解水を二次洗浄排水として排水するとともに、上記二次スラリを排出する二次洗浄装置と、
該二次洗浄装置からの二次洗浄排水に含まれる放射性物質を、放射性物質を吸着する吸着剤充填層により吸着除去し、又は分離除去剤と凝集剤を供給し放射性物質を吸着した分離除去剤粒子を凝集沈殿分離して除去し、放射性物質が除去された上記二次洗浄排水を除去処理排水として排水する除去装置と、
上記二次洗浄装置からの上記二次スラリを受け該二次スラリを脱水処理する脱水処理装置と、
上記一次洗浄装置からの上記一次洗浄排水と上記脱水処理装置からの脱水処理排水とを受け該一次洗浄排水と該脱水処理排水とに含まれる放射性物質を固化処理し、放射性物質が除去された上記一次洗浄排水および上記脱水処理排水を固化処理排水として排水する固化処理装置とを備え、
上記二次洗浄装置は、上記除去装置からの除去処理排水と上記固化処理装置からの固化処理排水とを、外部から供給される補給水とともに上記二次洗浄水として上記二次洗浄槽に受けることを特徴とする飛灰洗浄装置。
【請求項２】
二次洗浄装置からの二次洗浄排水を受け該二次洗浄排水に含まれる飛灰を濾過材で捕捉して除去する濾過装置をさらに備えることとする請求項１に記載の飛灰洗浄装置。
【請求項３】
放射性物質により汚染された廃棄物を焼却した際に発生する飛灰を洗浄する飛灰洗浄方法において、
放射線物質を含む上記飛灰を一次洗浄槽に収容し、該飛灰の洗浄のための一次洗浄水により該飛灰を上記一次洗浄槽内で洗浄して、上記放射性物質が溶解した一次溶解水と飛灰のスラリとを生成して、該一次溶解水を一次洗浄排水として排水するとともに、上記スラリを一次スラリとして排出する一次洗浄工程と、
上記一次洗浄工程で排出された上記一次スラリを二次洗浄槽に収容し、該一次スラリの洗浄のための二次洗浄水により該一次スラリを上記二次洗浄槽内で洗浄して、該一次スラリに含まれる放射性物質が溶解した二次溶解水と、上記一次スラリよりも放射性物質の濃度が低い二次スラリとを生成して、該二次溶解水を二次洗浄排水として排水するとともに、上記二次スラリを排出する二次洗浄工程と、
上記二次洗浄工程で排水された上記二次洗浄排水に含まれる放射性物質を、放射性物質を吸着する吸着剤充填層により吸着除去し、又は分離除去剤と凝集剤を供給し放射性物質を吸着した分離除去剤粒子を凝集沈殿分離して除去し、放射性物質が除去された上記二次洗浄排水を除去処理排水として排水する除去工程と、
上記二次洗浄工程で排出された上記二次スラリを脱水処理する脱水処理工程と、
上記一次洗浄工程で排出された上記一次洗浄排水と上記脱水処理工程で排水された脱水処理排水とに含まれる放射性物質を固化処理し、放射性物質が除去された上記一次洗浄排水および上記脱水処理排水を固化処理排水として排水する固化処理工程とを備え、
上記二次洗浄工程にて、上記除去工程で排水された除去処理排水と上記固化処理工程で排水された固化処理排水とを、外部から供給される補給水とともに上記二次洗浄水として、上記二次洗浄槽に受けることを特徴とする飛灰洗浄方法。
【請求項４】
二次洗浄工程で排水された二次洗浄排水に含まれる飛灰を濾過材で捕捉して除去する濾過工程をさらに備えることとする請求項３に記載の飛灰洗浄方法。
【発明の詳細な説明】
【技術分野】
【０００１】
本発明は、放射性物質により汚染された廃棄物を焼却した際に発生する飛灰を洗浄する飛灰洗浄装置および飛灰洗浄方法に関する。
【背景技術】
【０００２】
放射性物質（放射性セシウム等）により汚染された廃棄物を焼却した際に発生する飛灰には、上記放射性物質が含まれる。該放射性物質を含む飛灰が規定値以下の低汚染状態のものであれば、既存の最終処分場に埋立処分することが可能であるが、高汚染状態のものである場合には、既存の最終処分場に直接埋立処分することができず、飛灰をセメント固化したり容器に収容したりして放射性物質の溶出防止対策を施してから、管理型埋立処分場に埋立処分することになっている。
【０００３】
しかし、実際には、溶出防止対策を施す処分は進んでおらず、放射性物質を含む飛灰は処分されずに保管されたままになっており、膨大な量（体積）となってしまっている。そこで、放射性物質を含む飛灰を既存の最終処分場に埋立処分可能とするために、例えば非特許文献１のように、飛灰を、該最終処分場での埋立処分が可能なレベルにまで放射性物質の濃度を低減するように洗浄して除染する技術が検討されている。
【０００４】
非特許文献１に記載の飛灰洗浄を行うための飛灰洗浄装置の構成の概要を図２に示す。図２に見られるように、この飛灰洗浄装置は、放射性物質（セシウム等）を含む飛灰を洗浄水で洗浄して飛灰のスラリを生成する洗浄装置１１と、該洗浄装置１１に接続され上記スラリを脱水するとともに飛灰粒子間の間隙水に含まれている放射性物質をリンス用水に溶解して移行させる脱水リンス装置１２と、洗浄装置１１および脱水リンス装置１２に接続され、洗浄装置１１からの洗浄排水および脱水リンス装置１２からのリンス排水に含まれる放射性物質を吸着剤により吸着除去する吸着装置１３と、該吸着装置１３に接続され該吸着装置１３からの吸着処理排水に含まれる放射性物質を固化する固化処理装置１４とを有している。
【０００５】
固化処理装置１４は、後述する逆浸透膜処理装置１５を有しており、該逆浸透膜処理装置１５で放射性物質を分離された固化処理排水は、洗浄水およびリンス用水として用いるために戻される。具体的には、上記固化処理排水は、外部からの補給水とともに、洗浄水として洗浄装置１１に供給され、また、リンス用水として脱水リンス装置１２に供給される。
【０００６】
洗浄装置１１は、飛灰を受け入れて収容するとともに該飛灰を洗浄するための洗浄水の注入を受ける洗浄槽（図示せず）を有しており、該洗浄槽内にて、飛灰に含まれる放射性物質を洗浄水に溶解させるとともに上記飛灰のスラリを生成するようになっている。
【０００７】
脱水リンス装置１２は、スラリを脱水するためのベルトフィルタ、フィルタプレス等の脱水機（図示せず）を有している。該脱水リンス装置１２は、洗浄装置１１からのスラリを受けて上記脱水機でスラリを脱水する際、リンス用水をスラリに散水して、該スラリの飛灰粒子の間の間隙水に含まれる放射性物質をリンス用水に溶解して移行させるようになっている。
【０００８】
吸着装置１３は、放射性物質を吸着するための吸着剤が充填されており、洗浄装置１１からの洗浄排水および脱水リンス装置１２からのリンス排水を受けて、該洗浄排水および該リンス排水に含まれる放射性物質を上記吸着剤によって吸着除去するようになっている。
【０００９】
固化処理装置１４は、吸着装置１３からの吸着処理排水、すなわち該吸着装置１３で放射性物質が吸着され放射性物質の含有濃度が低減された洗浄排水およびリンス排水に含まれる放射性物質を逆浸透膜（ＲＯ膜。図示せず）で放射性物質を分離除去するための逆浸透膜処理装置１５と、該逆浸透膜処理装置１５で分離除去された放射性物質を含む濃縮水を加熱器（図示せず）で加熱して水分を蒸発させて放射性物質を固化させる蒸発固化処理装置１６とを有している。
【００１０】
また、図２に見られるように、逆浸透膜処理装置１５の逆浸透膜処理を施され固化処理装置１４外へ排出された排水（固化処理排水）を移送するための移送管は、補給水の供給管に接続されている。これによって、戻された固化処理排水に補給水が補給され、洗浄水またはリンス用水として、それぞれ洗浄装置１１または脱水リンス装置１２に供給される。
【００１１】
このような構成の飛灰洗浄装置によって、飛灰は以下の要領で処理される。まず、洗浄装置１１の洗浄槽に、放射性物質を含む飛灰が供給されるとともに洗浄水が注入される。上記洗浄槽内にて、洗浄水と飛灰との液固比を３〜５程度とした状態で該飛灰を洗浄水中に撹拌しながら浸漬して、該飛灰のスラリを生成するとともに、該飛灰から放射性物質を洗浄水に溶解させる。このようにして生成されたスラリの飛灰粒子同士間の間隙水には放射性物質が含まれている。
【００１２】
洗浄装置１１で生成されたスラリは、脱水リンス装置１２へ送られて、脱水機で脱水処理される。この脱水処理の際、リンス用水がスラリに散水され、該スラリの飛灰粒子同士間の間隙水に含まれる放射性物質がリンス用水に溶解して移行する。スラリが脱水処理された後の飛灰（脱水灰）は、放射性物質の含有濃度が十分に低減されており、既存の埋立処分場で埋立処分される。
【００１３】
洗浄装置１１からの洗浄排水および脱水リンス装置１２からのリンス排水は吸着装置１３に送られて、該洗浄排水および該リンス排水に含まれる放射性物質が吸着剤によって吸着除去される。吸着装置１３からの排水、すなわち放射性物質の含有濃度が低減された吸着処理排水は、固化処理装置１４に送られて、該固化処理装置１４の逆浸透膜処理装置１５で該吸着処理排水に含まれる放射性物質が分離される。この分離された放射性物質を含む濃縮水は蒸発固化処理装置１６で加熱され、その結果、水分が蒸発して放射性物質が固化される。その固化物は、当初の飛灰に比べて放射性物質が大幅に濃縮され減容されており、容器に収容されて保管される。
【００１４】
一方、逆浸透膜処理装置１５で逆浸透膜処理を施され放射性物質が分離除去された排水は、固化処理排水として固化処理装置１４から排出される。この固化処理排水は、洗浄水やリンス用水として利用可能な程度まで、放射性物質が十分に除去されており、図２に見られるように帰還され、補給水とともに、洗浄水またはリンス用水として洗浄装置１１または脱水リンス装置１２へ供給される。
【先行技術文献】
【非特許文献】
【００１５】
【非特許文献１】「飛灰中セシウムの洗浄分離に関する研究」、第23回廃棄物資源循環学会研究発表会講演論文集  廃棄物資源循環学会  2012年10月22日、E2-2、p.573
【発明の概要】
【発明が解決しようとする課題】
【００１６】
非特許文献１では、既述したように、脱水リンス装置１２は、飛灰のスラリを脱水する際、飛灰粒子同士間の間隙水に含まれる放射性物質を除去するために、リンス用水を散水しながら脱水する。しかし、脱水灰（脱水処理された飛灰）中の放射性物質の残留濃度をリンスで十分に低くするには多量のリンス用水が必要であり、その分、脱水リンス装置１２からのリンス排水の量も多量となる。また、非特許文献１では、洗浄装置１１からの洗浄排水や脱水リンス装置１２からのリンス排水を洗浄水やリンス用水として再利用するために、洗浄排水およびリンス排水の放射性物質濃度を低減すべく、該洗浄排水およびリンス排水に含まれる放射性物質を、吸着処理や逆浸透膜処理により除去している。しかし、上述したように、リンス排水量が多量となる結果、吸着装置１３および逆浸透膜処理装置１５の規模を大きくする必要が生じ、設備費や運転費が嵩むという問題点がある。
【００１７】
本発明では、このような事情に鑑みて、設備費や運転費を低く抑えつつ、飛灰から放射性物質を効率良く除去できる飛灰洗浄装置および飛灰洗浄方法を提供することを課題とする。
【課題を解決するための手段】
【００１８】
＜第一発明＞
第一発明に係る飛灰洗浄装置は、放射性物質により汚染された廃棄物を焼却した際に発生する飛灰を洗浄する。
【００１９】
かかる飛灰洗浄装置において、第一発明では、放射線物質を含む上記飛灰を収容し該飛灰の洗浄のための一次洗浄水の注入を受ける一次洗浄槽を有し、該一次洗浄槽内で上記飛灰を一次洗浄水により洗浄して、上記放射性物質が溶解した一次溶解水と飛灰のスラリとを生成して、該一次溶解水を一次洗浄排水として排水するとともに、上記スラリを一次スラリとして排出する一次洗浄装置と、上記一次洗浄装置からの上記一次スラリを受けて収容し該一次スラリの洗浄のための二次洗浄水の注入を受ける二次洗浄槽を有し、該二次洗浄槽内で上記一次スラリを二次洗浄水により洗浄して、該一次スラリに含まれる放射性物質が溶解した二次溶解水と、上記一次スラリよりも放射性物質の濃度が低い二次スラリとを生成して、該二次溶解水を二次洗浄排水として排水するとともに、上記二次スラリを排出する二次洗浄装置と、該二次洗浄装置からの二次洗浄排水に含まれる放射性物質を、放射性物質を吸着する吸着剤充填層により吸着除去し、又は分離除去剤と凝集剤を供給し放射性物質を吸着した分離除去剤粒子を凝集沈殿分離して除去し、放射性物質が除去された上記二次洗浄排水を除去処理排水として排水する除去装置と、上記二次洗浄装置からの上記二次スラリを受け該二次スラリを脱水処理する脱水処理装置と、上記一次洗浄装置からの上記一次洗浄排水と上記脱水処理装置からの脱水処理排水とを受け該一次洗浄排水と該脱水処理排水とに含まれる放射性物質を固化処理し、放射性物質が除去された上記一次洗浄排水および上記脱水処理排水を固化処理排水として排水する固化処理装置とを備え、上記二次洗浄装置は、上記除去装置からの除去処理排水と上記固化処理装置からの固化処理排水とを、外部から供給される補給水とともに上記二次洗浄水として上記二次洗浄槽に受けることを特徴としている。
【００２０】
第一発明に係る飛灰洗浄装置では、一次洗浄装置の一次洗浄槽内で生成された飛灰スラリ（一次スラリ）は二次洗浄装置の二次洗浄槽内に収容されてから二次洗浄水により洗浄される。この二次洗浄水による洗浄の結果、飛灰スラリの飛灰粒子間の間隙水に含まれる放射性物質が二次洗浄水に移行し、多くの放射性物質が二次洗浄排水に含まれて排出され、二次スラリに含まれる放射性物質の量が少なくなる。この二次洗浄装置から放射性物質を高濃度で含む二次溶解水を二次洗浄排水として抜き出し、除去装置に導き放射性物質を除去することにより、飛灰粒子間の間隙水に含まれる放射性物質が効率よく除去される。また、放射性物質が除去された二次洗浄排水を除去処理排水として排水し二次洗浄槽に二次洗浄水として戻すことにより、外部からの補給水の補給をできる限り少なくして二次洗浄を行うことができる。
【００２１】
二次洗浄装置では、従来の脱水リンス装置のように多量のリンス用水をスラリに散水するのではなく、二次スラリを生成可能な程度の量の二次洗浄水を供給するだけでよく、該二次洗浄水を二次洗浄槽に注入して一次スラリを洗浄する。このように、第一発明では、一次スラリの洗浄に使用される二次洗浄水の量は、従来必要とされた上記リンス用水の量と比較して少量で済む。したがって、除去装置で除去処理される二次洗浄排水の量もその分少なくなるので、上記除去装置の規模を小さくすることができ、除去装置の設備費や運転費を抑制することができる。
【００２２】
また、第一発明では、脱水処理装置は、二次スラリを脱水処理する際に、従来のようにリンス用水の供給を受けない。したがって、上記脱水処理装置から排出される脱水処理排水は、二次スラリに含まれる水分だけであり、脱水リンス装置でリンス用水を散水していた従来と比較して少量である。この結果、固化処理装置で固化処理される排水の量もその分少なくなるので、上記固化処理装置の規模を小さくすることができ、固化処理装置の設備費や運転費を抑制することができる。
【００２３】
また、除去装置からの除去処理排水および固化処理装置からの固化処理排水は、二次洗浄装置の二次洗浄槽へ帰還して二次洗浄水として再利用される。この除去処理排水および固化処理排水によって二次洗浄水を賄うことができるので、外部から新たに二次洗浄槽へ補給する補給水はわずかな量で済み、二次洗浄水による一次スラリの洗浄を効率よく行うことができる。
【００２４】
第一発明において、飛灰洗浄装置は、二次洗浄装置からの二次洗浄排水を受け該二次洗浄排水に含まれる飛灰を濾過材で捕捉して除去する濾過装置をさらに備えていてもよい。  
【００２５】
＜第二発明＞
第二発明に係る飛灰洗浄方法は、放射性物質により汚染された廃棄物を焼却した際に発生する飛灰を洗浄する。
【００２６】
かかる飛灰洗浄方法において、第二発明では、放射線物質を含む上記飛灰を一次洗浄槽に収容し、該飛灰の洗浄のための一次洗浄水により該飛灰を上記一次洗浄槽内で洗浄して、上記放射性物質が溶解した一次溶解水と飛灰のスラリとを生成して、該一次溶解水を一次洗浄排水として排水するとともに、上記スラリを一次スラリとして排出する一次洗浄工程と、上記一次洗浄工程で排出された上記一次スラリを二次洗浄槽に収容し、該一次スラリの洗浄のための二次洗浄水により該一次スラリを上記二次洗浄槽内で洗浄して、該一次スラリに含まれる放射性物質が溶解した二次溶解水と、上記一次スラリよりも放射性物質の濃度が低い二次スラリとを生成して、該二次溶解水を二次洗浄排水として排水するとともに、上記二次スラリを排出する二次洗浄工程と、上記二次洗浄工程で排水された上記二次洗浄排水に含まれる放射性物質を、放射性物質を吸着する吸着剤充填層により吸着除去し、又は分離除去剤と凝集剤を供給し放射性物質を吸着した分離除去剤粒子を凝集沈殿分離して除去し、放射性物質が除去された上記二次洗浄排水を除去処理排水として排水する除去工程と、上記二次洗浄工程で排出された上記二次スラリを脱水処理する脱水処理工程と、上記一次洗浄工程で排出された上記一次洗浄排水と上記脱水処理工程で排水された脱水処理排水とに含まれる放射性物質を固化処理し、放射性物質が除去された上記一次洗浄排水および上記脱水処理排水を固化処理排水として排水する固化処理工程とを備え、上記二次洗浄工程にて、上記除去工程で排水された除去処理排水と上記固化処理工程で排水された固化処理排水とを、外部から供給される補給水とともに上記二次洗浄水として、上記二次洗浄槽に受けることを特徴としている。
【００２７】
第二発明において、飛灰洗浄方法は、二次洗浄工程で排水された二次洗浄排水に含まれる飛灰を濾過材で捕捉して除去する濾過工程をさらに備えていてもよい。
【発明の効果】
【００２８】
以上のように、本発明によれば、一次洗浄装置の一次洗浄槽内で生成された飛灰スラリ（一次スラリ）は二次洗浄装置の二次洗浄槽内に収容されてから二次洗浄水により洗浄され、飛灰スラリの飛灰粒子間の間隙水に含まれる放射性物質が二次洗浄水に移行し、多くの放射性物質が二次洗浄排水に含まれて排出され、吸着剤による吸着処理あるいは分離除去剤および凝集剤による凝集沈殿分離により二次洗浄排水から放射性物質を除去することにより、飛灰粒子間の間隙水に含まれる放射性物質が効率よく除去される。また、放射性物質が除去された二次洗浄排水を除去処理排水として排水し二次洗浄槽に二次洗浄水として戻すことにより、外部からの補給水の補給をできる限り少なくして二次洗浄を行うことができる。また、一次スラリの洗浄に使用される二次洗浄水の量は、従来必要とされた上記リンス用水の量と比較して少量で済み、除去装置で除去処理される二次洗浄排水の量が少なくなるので、除去装置の規模を小さくすることができ、除去装置の設備費や運転費を抑制することができる。
【００２９】
また、脱水処理装置では、二次スラリを脱水処理する際にリンス用水の供給を受けない。したがって、上記脱水処理装置から排出される脱水処理排水は、二次スラリに含まれる水分だけであり、リンス用水を散水していた従来と比較して少量である。この結果、固化処理装置で固化処理される排水の量もその分だけ少なくなるので、上記固化処理装置の規模を小さくすることができる。したがって、固化処理装置の設備費や運転費を抑制することができる。
【図面の簡単な説明】
【００３０】
【図１】本発明の実施形態に係る飛灰洗浄装置を示す概略構成図である。
【図２】従来の飛灰洗浄装置を示す概略構成図である。
【発明を実施するための形態】
【００３１】
以下、添付図面にもとづき、本発明の実施形態を説明する。
【００３２】
図１は、本発明の実施形態に係る飛灰洗浄装置を示す概略構成図である。本実施形態に係る飛灰洗浄装置は、放射性物質（セシウム等）を含む飛灰の該放射性物質の含有濃度を、既存の埋立処分場で埋立処分可能な程度にまで低減させるように、該飛灰を洗浄する。洗浄後の放射性物質を高濃度で含有する排水から放射性物質を吸着剤により吸着除去し、洗浄後の飛灰を脱水処理した排水中の放射性物質を逆浸透膜処理により濃縮し、該濃縮水の水分蒸発固化後の放射性物質を含む固化物を保管する。また、本実施形態では、飛灰が放射性物質の他に塩類（Ｎａ，Ｃａ，Ｋ，Ｃｌ等）をも含んでいる場合について説明する。
【００３３】
図１に見られるように、飛灰洗浄装置は、放射性物質を含む飛灰を一次洗浄水で洗浄して飛灰のスラリ（後述の一次スラリ）を生成する洗浄装置１と、該洗浄装置１に接続され、上記一次スラリを二次洗浄水で洗浄して後述の二次スラリを生成する二次洗浄装置２と、該二次洗浄装置２からの二次洗浄排水を選択的に受けて該二次洗浄排水に含まれる飛灰を濾過材により捕捉して除去する濾過装置９と、二次洗浄装置２からの二次洗浄排水あるいは濾過装置９からの濾過処理排水に含まれる放射性物質を吸着剤により吸着除去する除去装置としての吸着装置３と、二次洗浄装置２からの二次スラリおよび濾過装置９からの濾過残渣（飛灰）を脱水処理する脱水処理装置４と、一次洗浄装置１からの一次洗浄排水および脱水処理装置４からの脱水処理排水に含まれる放射性物質および塩類を固化処理する固化処理装置５とを有している。
【００３４】
一次洗浄装置１は、放射性物質および塩類を含む飛灰を受け入れて収容するとともに該飛灰の洗浄のための一次洗浄水の注入を受ける一次洗浄槽（図示せず）を有しており、該一次洗浄槽内で飛灰を一次洗浄水により洗浄して、上記放射性物質および塩類が溶解した一次溶解水と上記飛灰のスラリ（一次スラリ）とを生成するようになっている。飛灰に含まれる塩類はそのほとんどが一次溶解水に溶解しており、一次スラリには残留していない。上記一次洗浄槽内では、一次スラリが沈降して下層を占めるので、一次溶解水は上層を形成し、一次洗浄排水として排水される。また、本実施形態では、上記一次洗浄槽は、後述する二次洗浄装置２の二次洗浄槽の上部と配管を介して接続されており、該二次洗浄槽内で生成されて上層を形成する二次溶解水が一次洗浄水として上記一次洗浄槽に注入されている。
【００３５】
二次洗浄装置２は、一次洗浄装置１の一次洗浄槽の下部と配管を介して接続されており、該一次洗浄槽の下部に沈降している一次スラリを受けて収容し該一次スラリの洗浄のための二次洗浄水の注入を受ける二次洗浄槽（図示せず）を有している。該二次洗浄装置２は、該二次洗浄槽内で一次スラリを二次洗浄水により洗浄して、上記一次スラリに含まれる放射性物質が溶解した二次溶解水と、一次スラリよりも放射性物質の濃度が低い二次スラリとを生成するようになっている。上記二次洗浄槽内では、二次スラリが沈降して下層を占めるので、二次溶解水は上層を形成し、二次洗浄排水として排水される。
【００３６】
また、二次洗浄装置２の二次洗浄槽には、二次洗浄水供給管８が接続されており、該二次洗浄水供給管８から二次洗浄水が供給されるようになっている。本実施形態では、二次洗浄水として、吸着装置３からの除去処理排水としての吸着処理排水と、固化処理装置５からの固化処理排水と、さらには、吸着処理排水および固化処理排水による水量に対する不足分（例えば、後述の蒸発固化処理装置７で蒸発する分）を補う量だけ外部から補給される補給水とが、二次洗浄水供給管８を経て上記二次洗浄槽に供給される。
【００３７】
濾過装置９は、二次洗浄装置２の二次洗浄槽の上部に配管を介して接続されており、二次洗浄槽から排水された二次溶解水、すなわち二次洗浄排水を受ける。該濾過装置９は、二次洗浄排水に混ざっている飛灰を捕捉するための濾過材（図示せず）を有している。該濾過材は、例えば、メッシュフィルターや濾過膜等により構成される。濾過装置９は、濾過材に付着した飛灰による閉塞を防止するために該濾過材の逆洗処理を行う逆洗機構（図示せず）を有していている。該逆洗機構は、例えば、濾過材に機械的振動を与えて飛灰を除去する機構や、圧縮空気を吹き込んで濾過材に振動を与えて飛灰を除去する機構によって構成することができる。濾過材により飛灰が除去された二次洗浄排水は、濾過処理排水として排水される。
【００３８】
本実施形態では、図１に見られるように、二次洗浄装置２から二次洗浄排水を濾過装置９へ供給する供給管には切換バルブ１０が設けられており、該切換バルブ１０の切替操作により、二次洗浄排水を濾過装置９へ供給するか、または濾過装置９へ供給することなく吸着装置３へ供給するかを選択できるようになっている。例えば、二次洗浄排水に飛灰が混ざっている場合には、該二次洗浄排水を濾過装置９へ供給し、二次洗浄排水にほとんど飛灰が混ざっていない場合には、該二次洗浄排水を吸着装置３へ直接供給することができる。また、上記切換バルブ１０は必須ではなく、二次洗浄装置２からの二次洗浄排水が必ず濾過装置９で濾過処理されてから吸着装置３へ濾過処理排水として供給されるようにしてもよく、また、濾過装置９を設けずに、上記二次洗浄排水が吸着装置３へ直接供給されるようにしてもよい。
【００３９】
吸着装置３は、二次洗浄装置２の二次洗浄槽の上部および濾過装置９に配管を介して接続されており、二次洗浄槽からの二次洗浄排水または濾過装置９からの濾過処理排水を選択的に受ける。該吸着装置３は、放射性物質を吸着するための吸着剤が充填された充填層を有しており、上記二次洗浄排水または濾過処理排水に含まれる放射性物質を上記吸着剤によって吸着除去するようになっている。本実施形態では、上記吸着剤として、例えばゼオライト等が使用されている。また、吸着装置３は、既述の二次洗浄水供給管８に接続されており、吸着装置３から排出された吸着処理排水が上記二次洗浄水供給管８に送られるようになっている。
【００４０】
本実施形態では、二次洗浄排水または濾過処理排水に含まれる放射性物質を除去するための除去装置として、上述の吸着装置３を設けることとしたが、これに代えて、上記除去装置として、二次洗浄排水または濾過処理排水に含まれる放射性物質を凝集沈殿分離により除去する凝集沈殿分離装置を設けてもよい。該凝集沈殿分離装置は、二次洗浄排水または濾過処理排水の注水を受ける凝集沈殿槽を有し、該二次洗浄排水または濾過処理排水に分離除去剤粒子を添加して該分離除去剤粒子に放射性物質を吸着させ、さらに凝集剤を添加して、懸濁している分離除去剤粒子を凝集そして沈殿させ、その沈殿物を抜き出すことにより上記放射性物質を除去する。上記分離除去剤粒子としては、例えば、フェロシアン化金属錯塩、例えばフェロシアン化ニッケル錯塩、プルシアンブルー（フェロシアン化鉄錯塩）が使用され、また、上記凝集剤としては、例えば、硫酸第二鉄などが使用される。
【００４１】
脱水処理装置４は、二次洗浄装置２の二次洗浄槽の下部および濾過装置９に配管を介して接続されており、該二次洗浄槽の下部に沈降している二次スラリおよび濾過装置９で捕捉除去された濾過残渣（飛灰）を受けるようになっている。該脱水処理装置４は、例えばベルトフィルタ、フィルタプレス等の脱水機（図示せず）を有しており、該脱水機で二次スラリおよび濾過残渣を脱水処理する。
【００４２】
固化処理装置５は、一次洗浄装置１の一次洗浄槽の上部および脱水処理装置４のそれぞれと接続されており、上記一次洗浄槽から排水される一次溶解水、すなわち放射性物質および塩類を含む一次洗浄排水と、脱水処理装置４から排水される放射性物質を含む脱水処理排水とを受けるようになっている。固化処理装置５は、一次洗浄排水および脱水処理排水に含まれる放射性物質および塩類を逆浸透膜（ＲＯ膜。図示せず）で分離除去するための逆浸透膜処理装置６と、該逆浸透膜処理装置６で分離除去された放射性物質および塩類を含む濃縮水を加熱器（図示せず）で加熱して水分を蒸発させることにより放射性物質を濃縮して固化させる蒸発固化処理装置７とを有している。
【００４３】
また、逆浸透膜処理装置６は、既述の二次洗浄水供給管８に接続されており、逆浸透膜処理装置６で逆浸透膜処理を施され固化処理装置５外へ排水された固化処理排水が上記二次洗浄水供給管８に送られるようになっている。
【００４４】
このような構成を有する本実施形態の飛灰洗浄装置によって、放射性物質および塩類を含む飛灰は以下の要領で処理される。まず、一次洗浄装置１の一次洗浄槽に、放射性物質および塩類を含む飛灰が供給されるとともに一次洗浄水が注入される。ここでは、図２に示した従来の洗浄装置１１と同様に、上記一次洗浄槽内にて、一次洗浄水と飛灰との液固比を３〜５程度とした状態で該飛灰を一次洗浄水中に撹拌しながら浸漬して、上記放射性物質および塩類が溶解した一次溶解水と飛灰のスラリ（一次スラリ）とを生成する。このとき、塩類は放射性物質と比較して一次洗浄水に溶解しやすいので、飛灰に含まれる塩類の大部分は一次洗浄水に溶解する。また、生成された一次スラリは一次洗浄槽内の下部に沈降し、一次溶解水は上層を形成する。該一次スラリの飛灰粒子同士間の間隙水には放射性物質が含まれている。
【００４５】
上記一次洗浄槽で生成された一次溶解水は、一次洗浄排水として排水されて固化処理装置５の逆浸透膜処理装置６へ送られる。また、上記一次洗浄槽で生成された一次スラリは、二次洗浄装置２の二次洗浄槽へ送られて、二次洗浄水により洗浄される。上記二次洗浄槽内では、一次スラリを二次洗浄水中で撹拌しながら一次スラリの飛灰粒子同士間の間隙水を二次洗浄水と置換することにより、該間隙水に含まれる放射性物質を二次洗浄水に移行させる。この結果、該放射性物質が溶解した二次溶解水と上記一次スラリよりも放射性物質の濃度が低い二次スラリが生成される。生成された二次スラリは二次洗浄槽内の下部に沈降し、二次溶解水は上層を形成する。
【００４６】
上記二次洗浄槽で生成された二次溶解水は、二次洗浄排水として二次洗浄槽から排出されて、濾過装置９あるいは吸着装置３へ送られる。上記二次洗浄排水が濾過装置９へ送られた場合には、該二次洗浄排水中に混ざっている飛灰が濾過材で捕捉されて除去され、濾過処理を受けた二次洗浄排水が濾過処理排水として吸着装置３へ送られる。該吸着装置３へ送られた二次洗浄排水あるいは濾過処理排水は、吸着剤の充填層を透過することにより、二次洗浄排水に含まれる放射性物質が上記充填層における吸着剤によって吸着除去される。この結果、二次洗浄排水は、二次洗浄水として再利用可能な程度まで放射性物質が上記吸着剤により吸着除去されてから、吸着処理排水として吸着装置３から排水される。該吸着処理排水は、二次洗浄水供給管８へ送られて、二次洗浄装置２の二次洗浄槽へ二次洗浄水として供給される。また、上述の吸着処理を繰り返して放射性物質を吸着した上記吸着剤は、適宜、吸着装置３から取り出された後、保管される。また、吸着装置３には新たな吸着剤が充填される。
【００４７】
また、上記二次洗浄槽で生成された二次スラリおよび濾過装置９で捕捉除去された濾過残渣（飛灰）は、脱水処理装置４へ送られて、脱水機により脱水処理される。二次スラリおよび濾過残渣が脱水処理された後の飛灰（脱水灰）は、放射性物質の含有濃度が十分に低減されており、既存の埋立処分場で埋立処分される。
【００４８】
一次洗浄装置１からの一次洗浄排水および脱水処理装置４からの脱水処理排水は、固化処理装置５の逆浸透膜処理装置６へ送られて、該逆浸透膜処理装置６で逆浸透膜処理されて放射性物質および塩類が分離除去される。分離除去された放射性物質および塩類を含む濃縮水は、蒸発固化処理装置７へ送られて、加熱器で加熱され、水分が蒸発することにより、放射性物質および塩類が固化される。該放射性物質および塩類の固化物は容器に収容されて保管される。
【００４９】
一次洗浄排水および脱水処理排水は、逆浸透膜処理装置６で逆浸透膜処理された後には、二次洗浄水として再利用可能な程度までに放射性物質および塩類が除去されており、固化処理排水として固化処理装置５から排水される。該固化処理排水は、二次洗浄水供給管８へ送られて、二次洗浄装置２の二次洗浄槽へ二次洗浄水として供給される。
【００５０】
本実施形態では、既述したように、一次洗浄装置１で生成された一次スラリは、二次洗浄装置２の二次洗浄槽内に収容されて二次洗浄水で洗浄される。該二次洗浄装置２は、従来の脱水リンス装置（図２参照）のように多量のリンス用水をスラリに散水するのではなく、二次スラリを生成可能な程度の量の二次洗浄水を二次洗浄槽に注入して一次スラリを洗浄する。つまり、一次スラリの洗浄に使用される二次洗浄水の量は、従来の脱水リンス装置で散水されたリンス用水の量と比較して少ない。したがって、二次洗浄装置２から排水されて吸着装置３で放射性物質が吸着処理される二次洗浄排水も少量となるので、上記吸着装置３の規模を小さくすることができ、吸着装置３の設備費や運転費を抑制することができる。
【００５１】
また、本実施形態では、脱水処理装置４は、二次スラリを脱水処理する際に従来のようにリンス用水の供給を受けない。したがって、脱水処理装置４から排水される脱水処理排水は、二次スラリに含まれる水分だけであり、この水分の量は、従来の脱水リンス装置で散水されたリンス用水の量と比較して少ない。この結果、固化処理装置５で放射性物質および塩類が固化処理される脱水処理排水の量もその分少なくなるので、固化処理装置５の規模を小さくすることができる。したがって、固化処理装置５の設備費や運転費を抑制することができる。
【００５２】
また、吸着装置３からの吸着処理排水および固化処理装置４からの固化処理排水は、二次洗浄装置２の二次洗浄槽へ帰還して二次洗浄水として再利用されるので、再利用を繰り返す過程で次第に不足する分（例えば、蒸発固化処理装置１６での蒸発分）を補給水で補えばよい。したがって、外部から二次洗浄槽へ新たに補給する上記補給水はわずかな量で済むので、二次洗浄水による一次スラリの洗浄を効率良く行うことができる。また、本実施形態では、一次洗浄装置１の一次洗浄槽に供給される一次洗浄水として上記二次洗浄槽からの二次洗浄水が供給される構成となっているので、一次洗浄水を外部から取り入れる必要がなくなり、一次洗浄水による飛灰の洗浄を効率良く行うことができる。なお、上述の構成に代えて、外部から一次洗浄槽に一次洗浄水を取り入れる構成としてもよいことは言うまでもない。
【００５３】
ところで、放射性物質の他に塩類が飛灰に含まれている場合、図２で示した従来の飛灰洗浄装置では、塩類の殆どが洗浄装置１１で洗浄水に溶解し、洗浄排水に含まれた状態で吸着装置１３に送られる。この従来の飛灰洗浄装置において、吸着装置１３に充填される充填剤としては、塩類の影響を受けずに放射性物質を吸着できるような種類の吸着剤を選定する必要があり、吸着剤の費用が高価になるという問題がある。
【００５４】
これに対して本実施形態では、既述したように、飛灰に含まれる塩類の殆どは一次洗浄装置１の一次洗浄内で一次洗浄水に溶解して一次溶解水に含まれており、該一次溶解水が一次洗浄排水として、吸着装置３を経ることなく逆浸透膜処理装置６へ送られる。つまり、吸着装置３に供給される二次洗浄排水に含まれている塩類は少量である。したがって、吸着装置３の吸着剤として、安価な吸着剤であるゼオライト等を採用しても、塩類の影響がないため、該吸着剤で多量の放射性物質を吸着することができる。このように、本実施形態によれば、吸着装置３の吸着剤として安価な吸着剤を選定しても二次洗浄水に含まれる放射性物質の濃度を十分に低減させることができる。
【００５５】
本実施形態では、固化処理装置５は、逆浸透膜処理装置６で分離除去された放射性物質および塩類を、蒸発固化処理装置７の加熱器で加熱して水分を蒸発させることにより、固化させることとしたが、この蒸発固化処理装置７に代えて、例えば、セメント固化処理装置を設けて、上記放射性物質および塩類をセメントで固化することとしてもよい。セメントで固化された固化物は、そのまま保管してもよいし、容器に収容して保管してもよい。
【符号の説明】
【００５６】
１  一次洗浄装置
２  二次洗浄装置
３  吸着装置（除去装置）
４  脱水処理装置
５  固化処理装置
９  濾過装置
【図１】
2015072199.tif 000003
【図２】
2015072199.tif 000004